【事件の表示】
　平成１０年特許願第３７６２５６号「パチンコ遊技機」拒絶査定に対する審判事件［平成１２年　７月　４日出願公開、特開２０００−１８５１４１］について、次のとおり審決する。
【結　論】
　本件審判の請求は、成り立たない。
【理　由】
第一．手続の経緯　
　本願は、平成１０年１２月２４日の出願であって、平成１４年６月２５日付で拒絶査定がなされ、これに対し、同年８月２１日に拒絶査定に対する審判請求がなされるとともに、同日付けで手続補正がなされたものである。　
　
第二．平成１４年８月２１日付けの手続補正についての補正却下の決定　
［補正却下の決定の結論］　
　　平成１４年８月２１日付けの手続補正を却下する。　
［理由］　
（１） 補正後の本願発明
　本件補正により、特許請求の範囲の請求項１は　
「遊技盤面に、第１作動口、前記第１作動口への入球発生に基いて図柄の変動を行う第１図柄表示装置、第２作動口を備えた電動式の第１可変入賞装置、前記第２作動口への入賞発生に基いて図柄の変動を行う第２図柄表示装置、第３作動口を備えた電動式の第２可変入賞装置および入賞口を備えた第３可変入賞装置を設け、前記第１図柄表示装置が変動後に停止した図柄が特定図柄に一致した場合、前記第１可変入賞装置を作動して前記第２作動口を入球可能とし、前記第２作動口への入賞発生に基く前記第２図柄表示装置の図柄変動後の停止図柄が特定図柄に一致した場合、前記第２可変入賞装置を作動して前記第３作動口を入球可能とし、前記第３作動口への入賞発生に基いて前記第３可変入賞装置を作動し、該第３可変入賞装置の入賞口を入球可能とするパチンコ遊技機において、前記第１可変入賞装置及び第２可変入賞装置の開放作動回数が複数回設定されており、前記第１可変入賞装置及び第２可変入賞装置のうち、開放作動回数が多く設定された前記第２可変入賞装置に関する入賞可能時間が、開放作動回数が少なく設定された前記第１可変入賞装置に関する入賞可能時間よりも、短いことを特徴とするパチンコ遊技機。」　
と補正された。　
　
（２） 引用例　
　原査定の拒絶理由に引用された特開平５−３００９７３号公報（以下「引用文献１」という）には、図面と共に以下の事項が記載されている。
（記載１）
「【０００４】【課題を解決するための手段】上記した目的を達成するために、本発明においては、変動作動口への打球の入賞に基づいて表示結果を導出する図柄表示装置と、該図柄表示装置の表示結果が予め定めた表示結果となったときに所定期間開放駆動される変動入賞装置と、を備えたパチンコ機において、前記図柄表示装置とそれに対応する変動入賞装置とを複数組設けると共にそれらに順位を付与し、その順位における上位の変動入賞装置を下位の図柄表示装置の変動作動口としたことを特徴とするものである。」（第２ページ第１欄第４３行−第２欄第３行）
　
（記載２）
「【０００８】しかして、打球がセンター役物１３の下方に設けられる変動作動口２１に入賞すると、第１図柄表示装置１４の図柄表示器１５ａ〜１５ｃの変動が開始され、所定時間が経過すると左の図柄表示器１５ａから順次停止する。そして、停止時の図柄の組合せが予め定めた図柄の組合せ（本実施例においては、同一図柄の組合せ）となったときに、大当り遊技状態となり、第１変動入賞装置１６の前後スライド板１７を一定時間（例えば、約５．９秒）後方へ退避させて遊技領域１２を落下する打球を受け入れるようになっている。この第１変動入賞装置１６に受け入れられた打球（入賞玉）は、後述する第２図柄表示装置２２の表示結果を導出するために使用される。したがって、第１変動入賞装置１６は、第２図柄表示装置２２の変動作動口として機能する。」（第３ページ第３欄第３−１６行）
　
（記載３）　
「【００１２】しかして、上記した第１変動入賞装置１６に打球が入賞すると、第２図柄表示装置２２の図柄表示器２３ａ〜２３ｃの変動が開始され、所定時間が経過すると左の図柄表示器２３ａから順次停止する。そして、停止時の図柄の組合せが予め定めた図柄の組合せ（本実施例においては、０・０・０以外のすべての組合せ）となったときに、当りとなり、第２変動入賞装置２５の開閉板２６を一定時間（例えば、約５．９秒）前方へ開放させて遊技領域１２を落下する打球を受け入れるようになっている。この第２変動入賞装置２５に受け入れられた打球（入賞玉）は、第３図柄表示装置２７の表示結果を導出するために使用される。したがって、第２変動入賞装置２５は、第３図柄表示装置２７の変動作動口として機能する。」（第３ページ第３欄第４７行−第４欄第１０行）　
　
（記載４）　
「【００１４】しかして、上記した第２変動入賞装置２５に打球が入賞すると、第３図柄表示装置２７の図柄表示器２８ａ〜２８ｃの変動が開始され、所定時間が経過すると左の図柄表示器２８ａから順次停止する。そして、停止時の図柄の組合せが予め定めた図柄の組合せ（本実施例においては、０・０・０以外のすべての組合せ）となったときに、当りとなり、第３変動入賞装置３０の開閉部材３１ａ，３１ｂを一定時間（例えば、約５．９秒）が経過するまで、又はその一定時間が経過する前であって所定個数（例えば、６個）の入賞玉が発生するまで左右に開放させて遊技領域１２を落下する打球を受け入れるようになっている。この第３変動入賞装置３０に受け入れられた打球（入賞玉）は、下位の図柄表示装置が存在しないので、単に入賞玉として処理される。」（第３ページ第４欄第２４−３７行）　
　
これら記載から、引用文献１には次の発明（以下「引用発明１」という）が記載されていると認められる。　
「打球が変動作動口２１に入賞すると、第１図柄表示装置１４が変動開始し、所定時間経過した後停止した図柄が予め定めた図柄の組合せとなったとき、第１変動入賞装置１６のスライド板１７を一定時間後方へ待避させて打球を受け入れるようになり、第１変動入賞装置１６に打球が入賞すると第２図柄表示装置２２の変動が開始され、所定時間が経過し停止した図柄が予め定めた図柄の組合せとなったときに、第２変動入賞装置２５の開閉板２６を一定時間開放させて打球を受け入れるようになり、第２変動入賞装置２５に打球が入賞すると、第３図柄表示装置２７が変動開始し、所定時間経過した後停止した図柄が予め定めた図柄の組合せとなったとき、第３変動入賞装置３０の開閉部材が一定時間経過するまで左右に開放され打球を受け入れるようになり、第３変動入賞装置３０に受け入れられた打球は入賞玉として処理される、パチンコ機」
　
　また、原査定の拒絶理由に周知例として引用された特開平９−６６１４６号公報（以下「引用文献２」という）には以下の事項が記載されている。
（記載５）　
「【０００６】
  　【課題を解決するための手段】
  請求項１に記載の本発明は、第１始動手段１４、１５と、この第１始動手段１４、１５が遊技球を検出した時に一定時間変動動作をして停止する第１変動図柄表示手段３５と、開閉作動式で且つ第１変動図柄表示手段３５の変動後の停止図柄が当たり図柄となった当たり発生時に一定時間開放する第２始動手段１６と、この第２始動手段１６が遊技球を検出した時に一定時間変動動作をして停止する第２変動図柄表示手段２９と、この第２変動図柄表示手段２９の変動後の停止図柄が大当たり図柄となった大当たり発生時に、遊技者に有利な利益状態を発生させる第１利益状態発生手段４４とを備えた弾球遊技機において、第２変動図柄表示手段２９での大当たりの発生後に第１変動図柄表示手段３５での当たりが発生した時に、大当たり発生後に第２始動手段１６に遊技球が入球し易くなるように、該第２始動手段１６を設定回数だけ開閉作動させて遊技者に有利な利益状態を発生させる第２利益状態発生手段４６を備えたものである。」（第２ページ第２欄第４７行−第３ページ第３欄第１４行）
　
（記載６）
「【００５７】請求項９に記載の本発明によれば、請求項１、２、３、４、５、６、７又は８に記載の発明において、第２変動図柄表示手段２９の停止図柄が大当たり図柄となった大当たり発生時に、その大当たり図柄の種類によって第２始動手段１６の作動時間を可変的に設定する開閉時間設定手段５１を備えているので、ゲームに変化を持たせることができると共に、作動時間の大小によって遊技者のゲームに対する興趣を喚起できる。」（第７ページ第１１欄第３５行−第１２欄第７行）
　
　更に、原査定の拒絶理由に周知例として引用された特開平９−６６１４５号公報（以下「引用文献３」という）には以下の事項が記載されている。
（記載７）
「【０００６】
  　【課題を解決するための手段】
  請求項１に記載の本発明は、第１始動手段１４、１５ と、この第１始動手段１４、１５ が遊技球を検出した時に一定時間変動動作をして停止する第１変動図柄表示手段３５と、開閉作動式で且つ第１変動図柄表示手段３５の変動後の停止図柄が当たり図柄となった当たり発生時に一定時間開放する第２始動手段１６と、この第２始動手段１６が遊技球を検出した時に一定時間変動動作をして停止する第２変動図柄表示手段２９と、この第２変動図柄表示手段２９の変動後の停止図柄が大当たり図柄となった大当たり発生時に、遊技者に有利な利益状態を発生させる第１利益状態発生手段４４とを備えた弾球遊技機において、第２変動図柄表示手段２９での大当たりの発生後に第１変動図柄表示手段３５での当たりが発生した時に、大当たり発生後に第２変動図柄表示手段２９が設定回数作動するまで、遊技球が入球し易くなるように第２始動手段１６の作動時間を大にして遊技者に有利な利益状態を発生させる第２利益状態発生手段４６を備えたものである。」（第２ページ第２欄第６行−第３ページ第３欄第１４行）
　
（記載８）
「また各実施形態では、第２始動手段１６の開閉作動時の作動時間を長くする方法として、開閉爪２５又は開閉板５５が３秒間連続的に開放する構成を採用しているが、この時に第２始動手段１６に対して遊技球が入球し易くなる構成であれば十分である。従って、開閉爪２５又は開閉板５５が短時間で間欠的に開閉する構造の第２始動手段１６では、通常、開閉爪２５又は開閉板５５が２〜３回開閉するのに比較してそれ以上の回数、例えば５〜２０回程度開閉するようにしても良い。」（第６ページ第１０欄第１３−２１行）
　
　更に、原査定の拒絶理由に周知例として引用された特開平８−１５５１００号公報（以下「引用文献４」という）には以下の事項が記載されている。
（記載９）「更に、普通電動役物（特定入賞口）の開放時間の長さは、上記実施例に限定されず、また、当たり図柄により開放時間も２種類に限らず、１つであっても、３以上であっても良い。」（第１４ページ第２６欄第１９−２２行）
　
　また、特開昭６１−３７８号公報（以下「引用文献５」という）には以下の事項が記載されている。　
（記載１０）
「従来、一又は二以上の所定の入賞口に球が入賞したとき、駆動機構により球受部が形成される入賞装置を備えたパチンコ機が各種提案されている。　ところが、これらのパチンコ機においては前記所定の入賞口にそれぞれ対応して入賞態様（形成時間、形成回数）が設定されており、例えば所定の入賞口が二つ設けてあるものではそれぞれ入賞態様が２秒間を２回、５秒間を５回というように設定されているため、遊技者は入賞口に対応する入賞態様がわかり、遊技の趣向を欠くものであった。（第１ページ右下欄第１９行−第２ページ左上欄第９行）
　
　また、特開平５−２２０２５７号公報（以下「引用文献６」という）には以下の事項が記載されている。
（記載１１）
「【０３３８】また、第１の実施例では、補助変動入賞装置５０は、可変表示ゲーム器５２による可変表示ゲームの結果が「当り」であった場合に、所定時間（０．８sec）に亘って唯一回開放される構成となっているが、複数回開放動作を行なわせるようにしてもよい。仮りに、補助変動入賞装置の開放時間に制限が加えられていれば（例えば６sec）、斯かる制限内で何回かに分けて開放動作（例えば２secの開放を３回）を行なってもよいし、一回で開放動作を終了してもよい（６secの開放を一回）。」第４１ページ第７９欄第１１−２０行）
　
　また、特開平４−２１５７８０号公報（以下「引用文献７」という）には以下の事項が記載されている。
（記載１２）
「【０４３９】また、本実施例では、補助変動入賞装置５０は、可変表示ゲーム器５２による可変表示ゲームの結果が「当り」であった場合に、所定時間（０．８sec）に亘って唯一回開放される構成となっているが、複数回開放動作を行なわせるようにしてもよい。仮りに、補助変動入賞装置の開放時間に制限が加えられていれば（例えば６sec）、斯かる制限内で何回かに分けて開放動作（例えば２secの開放を３回）を行なってもよいし、一回で開放動作を終了してもよい（６secの開放を一回）。」（第４１ページ第８０欄第４１−５０行）
　
　また、特開平１０−２０１９０５号公報（以下「引用文献８」という）には以下の事項が記載されている。
（記載１３）
「【００１７】また、例えば上述のように第１始動入賞口および第２始動入賞口への入賞に伴う入賞装置の動作（開閉羽根の開放時間および開閉回数）はあらかじめ決定されている。つまり、ある特定の入賞口への入賞に伴って作動する被始動装置の動作態様は、入賞口ごとに１対１に対応しているので、遊技者に遊技変化を抱かせにくいという問題がある。」（第３ページ第３欄第６−１２行）
　
　また、特開平１０−２３００４８号公報（以下「引用文献９」という）には以下の事項が記載されている。
（記載１４）
「前述のように補助変動入賞装置５０の開放時間を長く変化（０．８secから６．０secに変化）させたり、或いは開放回数を複数回開放するように変化（例えば、０．８secの開放を１回から２．０secの開放を３回に変化）させたり、更に両者を組み合わせた制御を行うとより効果的である。」（第４４ページ第８５欄第２０−２６行）
　
　また、特開平１−２９９５７７号公報（以下「引用文献１０」という）には以下の事項が記載されている。
（記載１５）
「第１入賞装置の入賞結果に基づいて第２入賞装置を開放し、この第２入賞装置への入賞を記憶手段により記憶し、この記憶に基づいて第３入賞装置を開放することができる」（第２ページ右上欄第２−５行）
　
（記載１６）
「第１入賞装置５を間歇開放する。即ち、第１１図において、打球が図柄停止口１２に入賞すると、該図柄停止口１２に臨ませた検出スイッチ１３のオンを検出回路６９が検出し、表示制御回路６９及び判定回路が７０作動し、駆動回路７１をタイマー７２の制御下に作動させてソレノイドＳＯＬ１を間歇的に、例えば約５秒間の感覚をおいて約０．８秒間励磁し、開状態を約０．８秒、閉状態を約５秒として約３０秒間に５回開閉する。」（第４ページ右下欄第１９行−第５ページ左上欄第７行）
　
（記載１７）
「打球が第２入賞装置６に２個飛入すれば記憶値は＋２となる。この記憶値は、次の第３入賞装置７を開放する回数となる。即ち、上記記憶値に基づいて、駆動回路７６を作動させて第３入賞装置７のソレノイドＳＯＬ２を例えば約０．５秒の間隔をおいて約５秒間づつ２回励磁し、第３入賞装置７を２回開放する。このとき一回の励磁に付き記憶値を−１する。そして、遊技者は第３入賞装置７の大入賞口５６が開放中に打球を大量に飛入させることが可能になる。　上記のようなパチンコ機によれば、遊技者が発射した打球が次々と入賞装置を作動させ、前段の入賞装置の結果が次段の入賞装置の開放に影響するので、遊技者は最終段階を予測することが難しく、各入賞装置の組み合わせにより変化に富んだパチンコ遊技を提供できる。」（第５ページ左上欄第１８行−右上欄第１５行）
　
　また、特開平７−２１３７０２号公報（以下「引用文献１１」という）には以下の事項が記載されている。
（記載１８）
「請求項１のパチンコ機は、パチンコ球が第１ゲートを通過したときに作動する第１図柄表示装置と、この第１図柄表示装置の確定図柄が当り図柄となったときに開放される特定入賞口を有する第１の入賞装置と、前記特定入賞口に入賞した入賞球が停留および通過する第２ゲートおよびこの第２ゲートを通過した入賞球を通常通路若しくは特別領域へ向けて移送する球移送機構を備えた第２の入賞装置と、入賞球が前記第２ゲートを通過したときに作動して確定図柄によって前記球移送機構の動きを指定する第２図柄表示装置と、始動口を有する始動装置と、入賞球が前記特別領域を通過したときに成立する特別状態の継続中にパチンコ球が前記始動口に入賞したときに開放される大入賞口を有する第３の入賞装置と、前記第２図柄表示装置の確定図柄が当り図柄となる確率をゲーム中に高確率若しくは通常確率に切換える確率切換え手段とを設けた構成を有し、請求項２のパチンコ機は、前記特別状態の終了時期が前記始動口に入賞した始動口入賞球数に基づいて変更されるように設定した構成を有し、」（第２ページ第２欄第６−２４行）
　
（記載１９）
「【００８０】
　各第１図柄表示体２０Ａ，２０Ｂ，２０Ｃの確定図柄が全て同じ図柄となった場合には当り図柄と判定されて特定入賞口６ａが２．５秒間開放される。
　　　【００８１】
　左、右第１図柄表示体２０Ａ，２０Ｃの確定図柄が同じ図柄で中第１図柄表示体２０Ｂの確定図柄が異なった図柄となったときは小当り図柄と判定されて特定入賞口６ａが０．３秒間開放される。」（第７ページ第１１欄第１６−２２行）
　
（記載２０）
「【００８６】
　特別装置の作動中にパチンコ球が始動口１０ａに入賞すると、大入賞口ソレノイド４４が駆動されて大入賞口１５ａが９．８秒間開放される。」（第７ページ第１１欄第４６―４８行）
　
（３）．対比
　補正後の本願発明と引用発明１とを対比すると、後者の「変動作動口２１」は前者の「第１作動口」に、「第１図柄表示装置１４」は「第１図柄表示装置」に、「第１変動入賞装置１６」は「第２作動口を備えた電動式の第１可変入賞装置」に、「第２図柄表示装置２２」は「第２図柄表示装置」に、「第２変動入賞装置２５」は「第３作動口を備えた電動式の第２可変入賞装置」に、「第３変動入賞装置３０」は「第３可変入賞装置」に、「予め定めた図柄の組合せ」は「特定図柄」にそれぞれ対応するから、両者は、
（一致点）
「遊技盤面に、第一作動口、前記第一作動口への入球発生に基づいて図柄の変動を行う第１図柄表示装置、第２作動口を備えた第一可変入賞装置および入賞口を備えた第３可変入賞装置を設け、前記第１図柄表示装置が変動後に停止した図柄が特定図柄に一致した場合、前記第１可変入賞装置を作動して前記第２作動口入球可能とし、前記第２作動口への入賞発生に基く前記第２図柄表示装置の図柄変動後の停止図柄が特定図柄に一致した場合、前記第２可変入賞装置を作動して前記第３作動口を入球可能とし、前記第３作動口への入賞発生に基づいて第３可変入賞装置の作動が可能となる、パチンコ機」である点において一致し、
（相違点１）
補正後の本願発明では、第１可変入賞装置、第２可変入賞装置が電動式であるのに対し引用発明１では格別限定がないこと、
（相違点２）
補正後の本願発明では、第３図柄表示装置の停止図柄の如何という条件なしに、第３作動口への入賞発生に基づいて第３可変入賞装置の入賞口が入球可能となるのに対し、引用発明１では第３作動口への入賞発生に基づいて第３図柄表示装置２７が変動開始し、停止図柄が予め定めた図柄の組合せとなったとき、第３可変入賞装置が入球可能となること、
（相違点３）
補正後の本願発明では、第１可変入賞装置及び第２可変入賞装置の開放作動回数が複数回設定されているのに対し、引用発明１では一定時間経過するまで開放される、とされており、開放回数については記載がないこと、
（相違点４）
補正後の本願発明では、第１可変入賞装置及び第２可変入賞装置のうち、開放作動回数が多く設定された第２可変入賞装置に関する入賞可能時間が、開放作動回数が少なく設定された第１可変入賞装置に関する入賞可能時間よりも、短い、とされているのに対し、引用発明１ではそのような限定はないこと、
において相違する。
　
（３） 当審の判断
３−１．　相違点１について、
　電動式の可変入賞装置は可変入賞装置として通常のものに過ぎず、この相違は設計的事項にすぎない。
　
３−２．　相違点２について、
　パチンコ機においては、可変入賞装置が入球容易な態様に変動するための契機として、入賞口への入球のみを条件とするか、入賞口への入球により図柄表示装置が変動開始し、その停止図柄が予め定めた図柄となることを条件とするか、は遊技の複雑化等の必要に応じて、適宜選択採用する程度の事項である。よってこの相違は格別のものではない。
　
３−３．　相違点３について、
　変動図柄が予め定めた図柄で停止した際に可変入賞装置を開放する、という型式の入賞装置において、開放作動を複数回設定することは、引用文献２、３、５−８にみられるように周知慣用の事項にすぎない。
　
３−４．　相違点４について、
　本願発明における第１可変入賞装置と第２可変入賞装置の開放作動回数を、第１よりも第２の方が回数は多く入賞可能時間は短く設定した点について検討する。
　可変入賞装置において、複数回開閉することは上記３−３．に示した様に周知慣用の構成であり、また、開放時間を適宜定めることは例えば引用文献４に開示されており、更に開閉回数だけでなく、開放時間も適宜定めて組み合わせるということは、上記引用文献５記載１０、上記引用文献６記載１１、上記引用文献７記載１２、上記引用文献８記載１３、上記引用文献９記載１４に開示されているように、従来から適宜おこなわれていたことである。
　すなわち、可変入賞装置を何回開放するか、及び開放継続時間をどうするか、という可変入賞装置を設ける際に構成上定めなければならない特性は従来適宜定められてきたものである。
　そして盤面上に複数の可変入賞装置が存在する場合に、互いに異なった開放回数や異なった開放時間を有するように定めることも、例えば上記文献１０記載１６、１７、上記文献１１記載１９、２０に開示されているように適宜なされていたことである。
　すなわち、これらの開放回数と開放時間という特性を、遊技の複雑化、興趣の向上を考慮して適宜定めることは、上記のように当業者が必要に応じて行っている事項である。
　ところで、引用発明１の如き複数の可変入賞装置が存在する場合に、回数及び時間という周知特性の定め方には有限の組み合わせしか存在しない。
　２個の可変入賞装置の場合、回数や時間という、量の大小を規定する特性の場合、第１可変入賞装置の方が大きい、互いに等しい、第２可変入賞装置の方が大きい、の３通りしかなく、特性が２種あるのだからその組み合わせは９通りしかないものである。
　本願発明の構成はその組み合わせの一つにすぎないのであり、この組み合わせだけを排除すべき理由もないから、当業者が当然想到する態様の一つにすぎず、この組み合わせについて想到するに困難であるとする理由はない。
　そして、相違点４の構成による作用効果、即ち、時間的に後から作動する第２可変入賞装置の方が第１可変入賞装置よりも開閉回数が多いが開閉時間が短い、という事項が奏する効果は、回数の大小及び時間の長短の相対関係のみを規定しているにすぎないから、格別のものではない。また、より多く開閉するがより短い時間の開閉である可変入賞装置が、時間的に先なのか後なのかによる違いも、回数の多寡及び長短の相対関係のみを規定しているのであるから、格別のものでない。
　よって、相違点４による作用効果の相違も上記した適宜定める作動回数と作動時間の態様から予想される効果の範囲内である。
　
　よって相違点４も、当業者が適宜なしうる程度の事項である。
　
　従って補正された本願発明は、引用発明１及び周知慣用技術から、当業者が容易に発明をすることができたものであるので、特許法第２９条第２項の規定により、特許を受けることが出来ない。
　
（４） むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
　
第三．本願発明について
（１）本願発明
　平成１４年８月２１日付けの手続補正は上記のとおり却下されたので、本願の請求項に係る発明は、平成１４年６月３日付け手続補正書の特許請求の範囲により特定されるものであるところ、その請求項１に記載された発明（以下「本願発明」とする）は以下のとおりである。
「【請求項１】　遊技盤面に、第１作動口、前記第１作動口への入球発生に基いて図柄の変動を行う第１図柄表示装置、第２作動口を備えた電動式の第１可変入賞装置、前記第２作動口への入賞発生に基いて図柄の変動を行う第２図柄表示装置、第３作動口を備えた電動式の第２可変入賞装置および入賞口を備えた第３可変入賞装置を設け、前記第１図柄表示装置が変動後に停止した図柄が特定図柄に一致した場合、前記第１可変入賞装置を作動して前記第２作動口を入球可能とし、前記第２作動口への入賞発生に基く前記第２図柄表示装置の図柄変動後の停止図柄が特定図柄に一致した場合、前記第２可変入賞装置を作動して前記第３作動口を入球可能とし、前記第３作動口への入賞発生に基いて前記第３可変入賞装置を作動し、該第３可変入賞装置の入賞口を入球可能とするパチンコ遊技機において、前記第１可変入賞装置及び第２可変入賞装置の開放作動回数が複数回設定されており、前記第１可変入賞装置及び第２可変入賞装置のうち、開放作動回数が多く設定された一方の可変入賞装置に関する入賞可能時間が、開放作動回数が少なく設定された他方の可変入賞装置に関する入賞可能時間よりも、短いことを特徴とするパチンコ遊技機。」
　
（２）引用文献
　原査定の拒絶理由に引用された引用例及びその記載事項は、上記「第二．（２）」に記載したとおりである。
　
（３）対比・判断
　「本願発明」と上記「第二．補正却下の決定」において論じた「補正された本願発明」とは、開放作動回数が少なく設定された可変入賞装置が第１可変入賞装置に限定されているか否か、の点においてのみ相違し、本願発明は第１又は第２のいずれが作動回数を少なく設定されているのかについて限定がないものである。
　そうすると、本願発明の構成要件を全て含み、さらに他の構成要件を付加したものに相当する「補正された本願発明」が、前記「第二．（３）」に記載したとおり、引用文献１及び周知技術に基づいて、当業者が容易に発明をすることができたものであるから、本願発明も、同様の理由により、引用文献１及び周知技術に基づいて、当業者が容易に発明をすることができたものである。
　
（４）むすび
　以上のとおり、本願発明は、引用文献１に記載された発明及び周知技術に基づいて、当業者が容易に発明をすることができたものであるから、特許法第２９条第２項の規定により特許をうけることができない。
　よって、結論のとおり審決する。